(57)【要約】【課題】いくつかの電子製品のスピーチ制御のためのかなり単純化され、かつ高価でない方法を提供すること。これにより、ユーザにはこのような製品の選択および購入に対しより多くの自由度が提供される【解決手段】多くの電子製品（Ｐ１、Ｐ２、Ｐ３）の信頼性が高くかつ効率的な活性化および非活性化制御が、当該製品に特有な活性化コマンドの放射による当該製品の一つの活性化、およびスピーチコマンドによる当該製品の動作および／または機能の制御により得られる。当該一つの製品に特有な活性化コマンドの放射には、電子製品の当該数の他の任意のものの非活性化を生じる非活性化コードの放射が伴う。【特許請求の範囲】
【請求項１】
数多くの電子製品の活性化、非活性化およびスピーチ制御の方法であって、当該製品に特有の活性化コマンドの放射により当該製品の一つを活性化し、かつスピーチコマンドにより当該製品の動作および／または機能を制御するステップを有する、数多くの電子製品の活性化、非活性化およびスピーチ制御の方法において、当該一つの製品に特有な活性化コマンドの放射が、当該数の電子製品の他のものの非活性化を生じる非活性化コードの放射を伴うことを特徴とする方法。
【請求項２】
前記活性化コマンドが、スピーチコマンドとして放射されることを特徴とする請求項１に記載の方法。
【請求項３】
前記活性化コマンドが、無線送信により放射されることを特徴とする請求項１に記載の方法。
【請求項４】
前記非活性化コードが、当該数の全ての電子製品に汎用で、かつ当該製品に特有な前記活性化コマンドの受取りのその識別に応答して前記製品の何れかにより生成されかつ放射され、当該一つの製品の前記非活性化が、当該識別により阻止される請求項１に記載の方法。
【請求項５】
前記非活性化コードが、無線送信により放射されることを特徴とする請求項１に記載の方法。
【請求項６】
前記非活性化コードが、可変の周波数、容積および／または継続時間を有するビープ音の短いシーケンスとして放射されることをことを特徴とする請求項５に記載の方法。
【請求項７】
前記非活性化コードが、無線周波数コードとして送信されることを特徴とする請求項５に記載の方法。
【請求項８】
前記非活性化コードが、当該数の電子製品に電力を供給する家庭用電力送電システムにより、データシーケンスとして送信されることをことを特徴とする請求項１に記載の方法。
【請求項９】
当該電子製品に特有であると確認される起動コマンドの識別に応答して当該製品における起動手段と通信しかつそれを制御するために、当該数の電子製品の何れかに個々に割り当て可能である請求項１に記載の方法を実行する電子装置において、
非活性化コードを受信しかつ識別し、かつ当該起動手段をディセーブルにする当該非活性化コードに応答して、当該起動手段に制御信号を通信する手段を有することを特徴とする電子装置。
【請求項１０】
前記電子装置が割り当てられる前記製品に特有な前記起動コマンドの受取りの識別に応答して当該数の全ての電子製品に汎用な非活性化コードを放射する手段を更に有することを特徴とする請求項４に記載の方法を実行する請求項９に記載の電子装置。
【請求項１１】
それが、当該数の電子製品の何れかに組み込まれていることを特徴とする請求項９に記載の電子装置。
【請求項１２】
それが、割り当てられ、かつ当該製品の前記活性化手段に接続可能である電子製品に対するアドオンユニットを、それが、有することを特徴とする請求項９に記載の電子装置。
【発明の詳細な説明】
【０００１】
【発明が属する技術分野】
本発明は、数多くの電子製品の活性化、非活性化およびスピーチ制御の方法であって、当該製品に特有の活性化コマンドの放出により当該製品の一つを活性化し、かつスピーチコマンドにより当該製品の動作および／または機能を制御するステップを有する、数多くの電子製品の活性化、非活性化およびスピーチ制御の方法に関する。
【０００２】
【従来の技術】
テレビ、ステレオ装置などのような一般電子機器のような電子製品の機能および動作に対するスピーチ制御が、同じ部屋内の複数の電子製品の制御に使用される場合、一製品のみの制御に対して意図された同じスピーチ制御に複数の製品が反応するので、制御された製品が、同時に作動すると、互いの動作を乱してしまうと言う問題が発生する。
【０００３】
スピーチに基づくマンマシン通信システムシステムは、ＥＰ−Ａ−０ ７７２ １８４から公知である。このシステムでは、各装置にそれ自身の固有のボイスパターンを設けることにより、音声合成機能が設けられた複数の可制御装置の固有のスピーチ制御が、得られている。スピーチ認識に対する高価なハードウェアおよびソフトウェアが増大することを制限するために、ユーザからの全てのリクエストが、スピーチ認識を装備する中央の権限により扱われるように、全ての制御された装置が、バスによりリンクされているシステムの好ましいアーキテクチャが、提案されている。このアーキテクチャによりコスト低減を得ることはできるが、複数の装置と中央のスピーチ認識権限とをリンクするバス接続の付加的なコストは、相当なものとなる。
【０００４】
バス型ネットワークにより連結されていてかつ単一のスピーチ認識装置により制御される多くの民生用電子製品による同様の概念は、ＥＰ−Ａ−０ ９１１ ８０８に開示されている。
【０００５】
全ての連結された装置が共通通信プロトコルの下で作動しなければならないので、コストファクタに加えて、これらの従来技術の解決法は、ホームエレクトロニクスの選択および購入においてユーザの自由度を大きく制限するであろう。
【０００６】
【課題を解決するための手段】
したがって、本発明の目的は、いくつかの電子製品のスピーチ制御のためのかなり単純化され、かつ高価でない方法を提供することである。これにより、ユーザにはこのような製品の選択および購入に対しより多くの自由度が提供される。
【０００７】
本発明によると、前記方法が特徴とする点は、当該一つの製品に特有な活性化コマンドの放出が、当該数の電子製品の他のものの非活性化を生じる非活性化コードの放出を伴う点である。
【０００８】
これにより、バスシステムによる連結も必要無く、または互いに認識し合う必要も無く、同じ部屋内の多くのスピーチ制御電子製品を、単純な態様で制御することができる。
【０００９】
活性化コマンドは、スピーチコマンドとして単独で放出させることができることが、好ましい。この場合、各々の電子製品に特有な活性化コマンドは、前記数の電子製品に個々に割り当てられる個々の名を有することができる。
【００１０】
これに代えて、活性化コマンドは、（例えば、前記数の電子製品に共通する遠隔制御ユニットからの特有な活性化信号の形態で）無線送信により放出させることができる。活性化を、電子製品の活性化キーまたはボタンの活性化動作により、より従来的な方法で実行することもできる。この方法の好ましい実施の場合、非活性化コードは、当該数の電子製品の全てについて汎用であり、かつその製品に特有な活性化コマンドの受取りのその識別に応じそれらの製品のいずれかによって生成されかつ放射される。
【００１１】
電子製品を接続するバス接続または配線の他の形態の使用を回避するために、非活性化コードは、例えば、周波数、音量および／または継続時間を変えたビープ音の短いシーケンスとしてまたは無線周波数コードとして、無線送信により放射させるか、当該数の電子製品に電力を供給する家庭用電力送電システムにより、データシーケンスとして送信させるかの何れかが好ましい。
【００１２】
この方法を実行するために、本発明は、通信に対する電子製品の当該電子製品に特有であると確認された活性化コマンドの識別に応答して、当該製品における活性化手段との通信および制御に対する当該数の電子製品のいずれかに個々に割り当て可能である、電子装置にも関する。
【００１３】
本発明によると、このような電子装置が特徴とする点は、非活性化コードを受信しかつ識別し、かつ当該活性化手段をディセーブルにする当該非活性化コードに応答して当該活性化手段と制御信号を通信する手段である。
【００１４】
好適な実施例において、電子装置は、電子装置に割り当てられる製品に特有な活性化コマンドの受取りの識別により当該活性化手段から受信される制御信号に応答して当該数の全ての電子製品に汎用な非活性化コードを放射する手段を更に含む。
【００１５】
典型的には、電子装置は、如何なる数の電子製品にも組み込まれるであろう。しかしながら、これを、特有の汎用構造が得られ、ユーザが電子製品を個別のスピーチ制御装置として購入することを可能にし、続いて、これを、アドオン電子デバイスによって本発明の方法による使用に対してアップグレードさせることができる、アドオンユニットとして設計することもできる。
【００１６】
【発明を実施するための形態】
以下、本発明を、添付の図面を参照してより詳細に説明する。
【００１７】
図１の具体例で示されるように、テレビ、ステレオシステム、ＤＶＤプレーヤなどのような、多くの家庭用または民生用電子製品Ｐ１、Ｐ２およびＰ３の機能および動作は、音量調節、チャネル選択、テレビモニタの画像制御、ＴＶとテキストＴＶのような異なる動作モード間のスイッチング、ビデオまたはオーディオ再生製品等の機能制御などのような、各製品の多数の機能の制御に特有なスピーチコマンド４を使用するボイス制御により制御される。図示の具体例の場合、製品Ｐ１〜Ｐ３の何れの活性化も、例えば、各製品に割り当てられている特有な名の形態の、問題の製品に対する特有なコマンドとして割り当てられているスピーチ活性化コマンドの放射により、行われる。
【００１８】
しかしながら、これに代えて、活性化を、活性化される製品の活性化キーまたはボタンの従来の動作によりまたは遠隔制御からの赤外転送のような無線によって行うこともできる。
【００１９】
製品Ｐ１〜Ｐ３の各々は、活性化ユニット５を有する。このユニットにより、製品を、その機能および動作の制御に対するスピーチコマンドに応答するであろう、活性化された動作モードと、スピーチコマンドが、製品に対する特有な活性化コマンドを有する認識パターンを有しかつマイクロフォンユニット７のような音声受信手段に接続されていているスピーチ認識システム６により、各製品において認識されるスタンドバイモードとの、間でスイッチすることが出来る。
【００２０】
活性化ユニット５は、電子装置８に接続されている。この装置は、スピーチ認識システム６にも接続されていて、かつそれにより制御され、かつ図示の実施例の場合、この装置は、製品Ｐ１〜Ｐ３各々の一体部分として組み込まれているが、スピーチ制御製品へのアドオンユニットとして設計することも出来る。
【００２１】
図示された具体例の場合、製品Ｐ１〜Ｐ３の各々の電子装置８は、非活性化制御信号を生成し、かつ当該ユニットをスタンドバイ動作モードにスイッチする活性化ユニット５に当該信号を供給する非活性化信号発生器９と、製品それ自体が活性化コマンドを受信した時、非活性化コードを放射する非活性化コード発生器１０とを有する。
【００２２】
非活性化コード発生器１０は、スピーチ認識システム６に接続されていて、受信されたスピーチコマンドが製品に対する特有な活性化コマンドとしてスピーチ認識システム６により認識されるかまたは識別されると、そこからイネーブリング信号を受信する。このイネーブリング信号に応答して、発生器１０は非活性化コードを生成する。図示された具体例の場合、それはオーディオ周波数コードとして生成され、かつ発生器１０に接続されているスピーカ１１に供給される。
【００２３】
これにより、または、例えば、無線周波数信号として、非活性化コードの無線送信の他の形式により、または電子製品Ｐ１〜Ｐ３に電力を供給する家庭用電力送電システムにより送信されるデータシーケンスとしての非活性化コードの放射により、データバスの使用または電子製品の間の別個のワイヤード接続の他の形式は、回避される。一連のオーディオ周波数ビープ音の形式で非活性化コードが示されるた具体例の場合、非活性化信号発生器９には、他の電子製品の内の一つにより放射されるオーディオ周波数非活性化コードをそれから受信するためにマイクロフォンユニット７が接続されている。このような非活性化コードの受取り、および認識または識別に応答して、発生器９は、非活性化制御信号を生成する。これは、このユニットを活性化からディセーブルにするために、活性化ユニット５に供給される。
【００２４】
非活性化信号発生器９は、発生器１０による非活性化コードの放射に応答して非活性化制御信号の供給を禁止する制御信号をそこから受信するために、非活性化コード発生器１０にも接続されている。
【００２５】
この方法の動作および製品１〜３の各々における電子装置８が、図２におけるフローチャートにより示されている。
【００２６】
製品Ｐ１に対する特有なスピーチ活性化コマンド２０１の放射により、非活性化コードは、この製品におけるスピーチ認識システム６において認識され（２０２）、そしてスピーチ認識システム６から、活性化制御信号が、製品Ｐ１における活性化ユニット５に供給され、これによりステップ２０３での製品Ｐ１が活性化された動作モードにスイッチされ、一方、イネーブリング信号が、スピーカ１１による非活性化コードの放射（２０４）のために、非活性化コード発生器１０に供給される。この放射に応答して、ステップ２０５で、制御信号が、さらに、非活性化コード発生器１０から、活性化ユニット５への非活性化制御信号の供給を禁止する非活性化信号発生器９に供給される。
【００２７】
製品Ｐ２およびＰ３の各々において、具体例においてオーディオ周波数コードとして示されている製品Ｐ１から放射される非活性化コードは、マイクロフォンユニット７によりステップ２０６で受信され、それは、非活性化コードを非活性化信号発生器９に伝達し、それは、２０７でこれにより活性化ユニット５に供給される非活性化制御信号を生成し、それは、これによりディセーブルにされ、かつステップ２０８においてスタンドバイ動作モードに留まる。
【００２８】
前述のことから明らかであるように、多くのスピーチ制御電子製品の活性化制御の単純でかつ経済的な活性化が、高い信頼性と効率的な方法により、その製品の機能および動作の制御に対するスピーチコマンドに応答して、確実に一度に一製品しか活性化しないことが、本発明により提供される。一方、例えば、同じ部屋内に位置する放射された活性化コマンドの動作の範囲内の他の電子製品は、活性化から他の製品の何れかに特有な活性化コマンドの可能な放射まで安全に禁止されるであろう。
【００２９】
この方法は、中庸のコストで相対的に単純な電子回路により実行される。これは、各電子製品の一体部品として組み込むことができるし、またはアドオンユニットとして設計することもできる。
【００３０】
別個の配線接続のネットワークまたはバスにより電子製品または他の形式をリンクするニーズを回避することにより、インストールは、単純化されている。
【００３１】
上述した特長のいくつかまたは全ては、これに代えて、ソフトウェアモジュールまたはオブジェクトとして実現させることができる。
【図面の簡単な説明】
【図１】多くのホーム電子製品を制御する本発明の方法および電子デバイスの適用を示すダイアグラムである。
【図２】本発明の方法を示すフローチャートである。
【符号の説明】
４　スピーチコマンド
５　活性化ユニット
６　スピーチ認識システム
７　マイクロフォンユニット
８　電子装置
９　非活性化信号発生器
１０　非活性化コード発生器
１１　スピーカ
【図１】
2004505305.tif 000002
【図２】
2004505305.tif 000003
【国際公開パンフレット】
2004505305.tif 000004
2004505305.tif 000005
2004505305.tif 000006
2004505305.tif 000007
2004505305.tif 000008
2004505305.tif 000009
2004505305.tif 000010
2004505305.tif 000011
2004505305.tif 000012
2004505305.tif 000013
【国際調査報告】
2004505305.tif 000014
2004505305.tif 000015
2004505305.tif 000016